(57)【要約】【課題】電子決済に対応できない駐車場管理システムを、追加の負担を抑制しつつ、電子決済に対応可能なものに改修することを可能にする。【解決手段】駐車場管理システム１０は、ユーザによる現金決済またはカード決済である非電子決済を可能にする非電子決済装置としての精算機３０と、その精算機３０と通信可能な管理サーバ４０とを有し、このシステム１０単独では、電子決済に対応しないが、第２の駐車場管理システム１１０との協働により、擬似電子決済モードを実行する。具体的には、システム１０は、擬似電子決済モードにおいて、ユーザの通信端末９０が、ユーザが第２の駐車場管理システム１１０の会員になりすました状態で、管理サーバ４０を経由するかまたは経由せずに第２の管理サーバ１４０にアクセスし、それにより、決済サーバ１６０を用いて電子決済を行う。【選択図】図１
2020087425.tif 000002
【特許請求の範囲】
【請求項１】
ある種のサービスをユーザに提供するシステムであって、
ユーザによる現金決済またはカード決済である非電子決済を可能にする非電子決済装置と、
その非電子決済装置と通信可能な管理サーバと
を含み、
当該システムは、当該システム単独では、電子決済に対応しないが、当該システムと同種のサービスをユーザに提供する第２のシステムであって電子決済に対応するものとの協働により、擬似電子決済モードを実行し、
前記第２のシステムは、
ユーザの通信端末と通信可能な第２の管理サーバと、
ユーザによる電子決済を可能とする決済サーバであって、前記第２の管理サーバと通信可能であるものと
を含み、
当該システムは、前記擬似電子決済モードにおいて、ユーザの通信端末が、前記管理サーバを経由するかまたは経由せずに前記第２の管理サーバにアクセスし、それにより、前記決済サーバを用いて電子決済を行い、その後、前記第２の管理サーバが前記管理サーバを経由するかまたは経由せずに前記非電子決済装置と通信し、それにより、その非電子決済装置は決済完了信号を受信する擬似電子決済対応型サービス提供システム。
【請求項２】
ある種のサービスをユーザに提供するシステムであって、
ユーザによる現金決済またはカード決済である非電子決済を可能にする非電子決済装置と、
その非電子決済装置と通信可能な管理サーバと
を含み、
当該システムは、当該システム単独では、電子決済に対応しない非電子決済モードを実行し、その非電子決済モードにおいては、ユーザが前記非電子決済装置を用いて非電子決済を行い、
当該システムは、当該システムと同種のサービスをユーザに提供する第２のシステムとの協働により、擬似電子決済モードを実行し、
前記第２のシステムは、
ユーザの通信端末と通信可能な第２の管理サーバと、
ユーザによる電子決済を可能とする決済サーバであって、前記第２の管理サーバと通信可能であるものと
を含み、
その第２のシステムは、ユーザが当該第２のシステムの会員であることを条件に、当該第２のシステム単独で、電子決済に対応する電子決済モードを実行し、その電子決済モードにおいては、ユーザの通信端末が前記第２の管理サーバと通信し、それにより、前記決済サーバを用いて電子決済を行い、その後、前記第２の管理サーバが決済完了信号を前記通信端末に送信し、
当該システムは、前記擬似電子決済モードにおいては、ユーザの通信端末が、ユーザが前記第２のシステムの会員になりすますか、または実際に前記第２のシステムの会員になった状態で、前記管理サーバを経由するかまたは経由せずに前記第２の管理サーバにアクセスし、それにより、前記決済サーバを用いて電子決済を行い、その後、前記第２の管理サーバが前記管理サーバを経由するかまたは経由せずに前記非電子決済装置と通信し、それにより、その非電子決済装置は前記決済完了信号を受信する擬似電子決済対応型サービス提供システム。
【請求項３】
前記サービスは、自転車、自動車または自動二輪車を含む車両をユーザが駐車するためのスペースをそのユーザに貸与するサービスおよび／または自転車、自動車または自動二輪車を含む車両をユーザに貸与するサービスを含む請求項１または２に記載の擬似電子決済対応型サービス提供システム。
【請求項４】
前記サービスは、駐車場において、自転車、自動車または自動二輪車を含む車両をユーザが駐車するためのスペースをそのユーザに貸与するサービスを含み、
当該システムは、さらに、
ユーザによる決済が完了しないうちは、前記駐車場に入庫した車両がその駐車場から出庫することを物理的に制限し、ユーザによる決済が完了すると、出庫を物理的に許可する出庫許可装置であって、前記非電子決済装置によって制御されるものを含み、
前記非電子決済装置は、前記決済完了信号を受信すると、出庫許可信号を前記出庫許可装置に送信する請求項３に記載の擬似電子決済対応型サービス提供システム。
【請求項５】
前記サービスは、駐車場において、自転車、自動車または自動二輪車を含む車両をユーザが駐車するための複数のスペースである複数の車室のうちそのユーザによって選択されたものをそのユーザに貸与するサービスを含み、
当該システムは、さらに、
ユーザの通信端末は、前記選択された車室に車両が入庫する入庫ステージまたはその車室から車両が出庫する出庫ステージにおいて、前記擬似電子決済モードがユーザによって選択されると、前記駐車場を特定するための情報と前記選択された車室を特定するための情報との組合せを取得し、その組合せに、前記第２のシステムの会員としての会員ＩＤを割り当て、その会員ＩＤを用いて前記管理サーバを経由するかまたは経由せずに前記第２の管理サーバにアクセスするアクセス手段を含む請求項２に記載の擬似電子決済対応型サービス提供システム。
【請求項６】
さらに、
ユーザの通信端末は、前記擬似電子決済モードがユーザによって選択されると、そのユーザのユーザＩＤまたはそのユーザに一義的に対応する情報を取得し、それらユーザＩＤまたは情報に、前記第２のシステムの会員としての会員ＩＤを割り当て、その会員ＩＤを用いて前記管理サーバを経由するかまたは経由せずに前記第２の管理サーバにアクセスするアクセス手段を含む請求項２に記載の擬似電子決済対応型サービス提供システム。
【請求項７】
請求項１ないし６のいずれかに記載の擬似電子決済対応型サービス提供システムにおける通信端末としてコンピュータを機能させるためのプログラム。
【請求項８】
請求項１ないし６のいずれかに記載の擬似電子決済対応型サービス提供システムにおける管理サーバとしてコンピュータを機能させるためのプログラム。
【請求項９】
請求項１ないし６のいずれかに記載の擬似電子決済対応型サービス提供システムにおける非電子決済装置としてコンピュータを機能させるためのプログラム。
【請求項１０】
請求項７ないし９のいずれかに記載のプログラムをコンピュータ読み取り可能に記録した記録媒体。
【発明の詳細な説明】
【技術分野】
【０００１】
本発明は、ある種のサービスをユーザに提供する技術に関し、特に、電子決済に対応できないシステムを、追加の負担を抑制しつつ、電子決済に対応可能なシステムに改修することを可能にする技術に関するものである。
【背景技術】
【０００２】
ある種のサービスをユーザに提供するシステムが既に普及している。この種のサービスの一例は、不動産または動産であるレンタル対象をユーザにレンタルするというサービスである。
【０００３】
具体的には、不動産としてのレンタル対象の一例が、貸席や駐車場などのレンタル・スペースであり、また、動産としてのレンタル対象の一例が、貸し自転車やレンタカーなどの運搬・輸送手段である。
【０００４】
さらに具体的には、不動産としてのレンタル対象としては、例えば、ユーザが短期的に滞在可能である宿泊施設（例えば、ホテル内の部屋、一時的に他人にレンタルされる個人宅、共同住宅などの居室）またはユーザが長期的に滞在可能である滞在施設（例えば、個別住宅、共同住宅など）の部屋、コインロッカー、駐車場（例えば、一または複数の車室を有する駐車場）、個別の駐車スペース（例えば、駐車場内の複数の車室の各々）などがある。
【０００５】
動産としてのレンタル対象としては、例えば、陸上、水上または飛行する乗物（例えば、レンタカー、貸し自転車など）、レンタル家具、レンタル衣服類、レンタル電気製品（後述の音声ガイド装置を含む）、電気製品に着脱可能に装着されるレンタル付属品（例えば、電池または充電器）、視聴覚コンテンツが記録されているレンタル記録媒体（例えば、ＣＤ）であってユーザによって再生可能なものなどがある。
【０００６】
ここで、駐車場ビジネスを例にとり、ある種のサービスをユーザに提供するシステムのいくつかの従来例を、特に、決済方式に着目して説明する。
【０００７】
特許文献１には、電子決済（「スマートフォン決済」ともいい、例えば、クレジットカード決済が該当する。）には対応可能であるが現金決済やプリペイド式ＩＣカード決済（単に「カード決済」ともいう。）には対応不能な駐車場管理システムが開示されている。
【０００８】
このシステムは、駐車場外に設置されるサーバであって、ユーザの携帯端末と通信可能なものと、駐車場内に設置される出庫制限装置であって前記サーバまたはユーザの携帯端末と通信してそれらによって制御されるものとを備えている。本明細書の全体を通じ、「出庫制限装置」は、ユーザによる決済が完了しないうちは、駐車場に入庫した車両がその駐車場から出庫することを物理的に制限し、ユーザによる決済が完了すると、出庫を物理的に許可するものであり、出庫許可装置とも称される。
【０００９】
特許文献２には、現金決済またはカード決済のみに対応可能、すなわち、非電子決済に対応可能な駐車場管理システムが開示されている。
【００１０】
このシステムには、駐車場内に設置される精算機（ユーザが非電子決済を行うことを可能にする装置）と、駐車場内に設置される出庫制限装置であって前記精算機によって制御されるものと、駐車場外に設置されるサーバであって、ユーザの携帯端末とではなく、前記精算機と通信可能なものとを備えている。
【００１１】
特許文献３には、非電子決済と電子決済との双方に対応可能な駐車場管理システムが開示されている。このシステムは、駐車場内に設置される発券機であって非電子決済を可能にするものと、駐車場外に設置される管理サーバであって、ユーザの携帯端末と通信して、ユーザによる電子決済を可能にするものとを備えている。この場合、その管理サーバは、当該駐車場を管理する業者と同じ業者によって管理され、よって、このシステムにおいては、発券機と管理サーバとが同じ業者の管理下に置かれることになる。
【先行技術文献】
【特許文献】
【００１２】
【特許文献１】特許第６４０１８４９号公報
【特許文献２】特開２０１６−０４５９１６号公報
【特許文献３】特開２０１８−１７３９６５号公報
【発明の概要】
【発明が解決しようとする課題】
【００１３】
サービスの対価の決済方法として電子決済が普及しつつある。一方で、非電子決済を要望するユーザも依然として存在する。
【００１４】
ところで、非電子決済に専ら対応するようにシステムを構築した後、電子決済の要望に応えるべく、そのシステムのハードウエア構成を少なくとも部分的に改修して電子決済にも対応するようにすることは可能である。しかし、その場合には、システムの改修にかかる負担が増加してしまうおそれがある。
【００１５】
このような事情を背景とし、本発明は、電子決済に対応できないシステムを、追加の負担を抑制しつつ、電子決済に対応可能なシステムに改修することを可能にする技術を提供することを課題としてなされたものである。
【課題を解決するための手段】
【００１６】
その課題を解決するために、本発明の第１の側面によれば、ある種のサービスをユーザに提供するシステムであって、
ユーザによる現金決済またはカード決済である非電子決済を可能にする非電子決済装置と、
その非電子決済装置と通信可能な管理サーバと
を含み、
当該システムは、当該システム単独では、電子決済に対応しないが、当該システムと同種のサービスをユーザに提供する第２のシステムであって電子決済に対応するものとの協働により、擬似電子決済モードを実行し、
前記第２のシステムは、
ユーザの通信端末と通信可能な第２の管理サーバと、
ユーザによる電子決済を可能とする決済サーバであって、前記第２の管理サーバと通信可能であるものと
を含み、
当該システムは、前記擬似電子決済モードにおいて、ユーザの通信端末が、前記管理サーバを経由するかまたは経由せずに前記第２の管理サーバにアクセスし、それにより、前記決済サーバを用いて電子決済を行い、その後、前記第２の管理サーバが前記管理サーバを経由するかまたは経由せずに前記非電子決済装置と通信し、それにより、その非電子決済装置は決済完了信号を受信する擬似電子決済対応型サービス提供システムが提供される。
【００１７】
また、本発明の第２の側面によれば、ある種のサービスをユーザに提供するシステムであって、
ユーザによる現金決済またはカード決済である非電子決済を可能にする非電子決済装置と、
その非電子決済装置と通信可能な管理サーバと
を含み、
当該システムは、当該システム単独では、電子決済に対応しない非電子決済モードを実行し、その非電子決済モードにおいては、ユーザが前記非電子決済装置を用いて非電子決済を行い、
当該システムは、当該システムと同種のサービスをユーザに提供する第２のシステムとの協働により、擬似電子決済モードを実行し、
前記第２のシステムは、
ユーザの通信端末と通信可能な第２の管理サーバと、
ユーザによる電子決済を可能とする決済サーバであって、前記第２の管理サーバと通信可能であるものと
を含み、
その第２のシステムは、ユーザが当該第２のシステムの会員であることを条件に、当該第２のシステム単独で、電子決済に対応する電子決済モードを実行し、その電子決済モードにおいては、ユーザの通信端末が前記第２の管理サーバと通信し、それにより、前記決済サーバを用いて電子決済を行い、その後、前記第２の管理サーバが決済完了信号を前記通信端末に送信し、
当該システムは、前記擬似電子決済モードにおいては、ユーザの通信端末が、ユーザが前記第２のシステムの会員になりすますか、または実際に前記第２のシステムの会員になった状態で、前記管理サーバを経由するかまたは経由せずに前記第２の管理サーバにアクセスし、それにより、前記決済サーバを用いて電子決済を行い、その後、前記第２の管理サーバが前記管理サーバを経由するかまたは経由せずに前記非電子決済装置と通信し、それにより、その非電子決済装置は前記決済完了信号を受信する擬似電子決済対応型サービス提供システムが提供される。
【００１８】
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈すべきではない。すなわち、下記の態様には記載されていないが本明細書には記載されている技術的特徴を本発明の技術的特徴として適宜抽出して採用することは妨げられないと解釈すべきなのである。
【００１９】
さらに、各項を他の項の番号を引用する形式で記載することが必ずしも、各項に記載の技術的特徴を他の項に記載の技術的特徴から分離させて独立させることを妨げることを意味するわけではなく、各項に記載の技術的特徴をその性質に応じて適宜独立させることが可能であると解釈すべきである。
【００２０】
（１）  ある種のサービスをユーザに提供するシステムであって、
ユーザによる現金決済またはカード決済である非電子決済を可能にする精算機と、
その精算機と通信可能な管理サーバと
を含み、
当該システムは、当該システム単独では、電子決済に対応しないが、当該システムと同種のサービスをユーザに提供する第２のシステムであって電子決済に対応するものとの協働により、擬似電子決済モードを実行し、
前記第２のシステムは、
ユーザの通信端末と通信可能な第２の管理サーバと、
ユーザによる電子決済を可能とする決済サーバであって、前記第２の管理サーバと通信可能であるものと
を含み、
当該システムは、前記擬似電子決済モードにおいて、ユーザの通信端末が、ユーザが前記第２のシステムの会員になりすました状態で、前記管理サーバを経由するかまたは経由せずに前記第２の管理サーバにアクセスし、それにより、前記決済サーバを用いて電子決済を行う擬似電子決済対応型サービス提供システム。
【００２１】
（２）  ある種のサービスをユーザに提供するシステムであって、
ユーザによる現金決済またはカード決済である非電子決済を可能にする精算機と、
その精算機と通信可能な管理サーバと
を含み、
当該システムは、当該システム単独では、電子決済に対応しない非電子決済モードを実行し、その非電子決済モードにおいては、ユーザが前記精算機を用いて非電子決済を行い、
当該システムは、当該システムと同種のサービスをユーザに提供する第２のシステムとの協働により、擬似電子決済モードを実行し、
前記第２のシステムは、
ユーザの通信端末と通信可能な第２の管理サーバと、
ユーザによる電子決済を可能とする決済サーバであって、前記第２の管理サーバと通信可能であるものと
を含み、
その第２のシステムは、ユーザが当該第２のシステムの会員であることを条件に、当該第２のシステム単独で、電子決済に対応する電子決済モードを実行し、その電子決済モードにおいては、ユーザの通信端末が前記第２の管理サーバと通信し、それにより、前記決済サーバを用いて電子決済を行い、その後、前記第２の管理サーバが決済完了信号を前記通信端末に送信し、
当該システムは、前記擬似電子決済モードにおいては、ユーザの通信端末が、ユーザが前記第２のシステムの会員になりすました状態で、前記管理サーバを経由するかまたは経由せずに前記第２の管理サーバにアクセスし、それにより、前記決済サーバを用いて電子決済を行い、その後、前記第２の管理サーバが前記管理サーバを経由するかまたは経由せずに前記精算機と通信し、それにより、その精算機は決済完了信号を受信する擬似電子決済対応型サービス提供システム。
【００２２】
（３）  前記サービスは、自転車、自動車または自動二輪車を含む車両を駐車するためのスペースをユーザに貸与するサービスおよび／または自転車、自動車または自動二輪車を含む車両をユーザに貸与するサービスを含む（１）または（２）項に記載の擬似電子決済対応型サービス提供システム。
【００２３】
（４）  前記サービスは、駐車場において、自転車、自動車または自動二輪車を含む車両を駐車するためのスペースをユーザに貸与するサービスを含み、
当該システムは、さらに、
ユーザによる決済が完了しないうちは、前記駐車場に入庫した車両がその駐車場から出庫することを物理的に制限し、ユーザによる決済が完了すると、出庫を物理的に許可する出庫許可装置であって、前記精算機によって制御されるものを含み、
前記精算機は、前記決済完了信号を受信すると、出庫許可信号を前記出庫許可装置に送信する（３）項に記載の擬似電子決済対応型サービス提供システム。
【００２４】
（５）  前記サービスは、駐車場において、自転車、自動車または自動二輪車を含む車両をユーザが駐車するための複数のスペースである複数の車室のうちそのユーザによって選択されたものをそのユーザに貸与するサービスを含み、
当該システムは、さらに、
ユーザの通信端末は、前記選択された車室に車両が入庫する入庫ステージまたはその車室から車両が出庫する出庫ステージにおいて、前記擬似電子決済モードがユーザによって選択されると、前記駐車場を特定するための情報と前記選択された車室を特定するための情報との組合せを取得し、その組合せに、前記第２のシステムの会員として前記第２のシステムの前記第２の管理サーバにアクセスするためのなりすまし会員ＩＤを割り当て、そのなりすまし会員ＩＤを用いて前記管理サーバを経由するかまたは経由せずに前記第２の管理サーバにアクセスするなりすましアクセス手段を含む（１）ないし（４）項のいずれかに記載の擬似電子決済対応型サービス提供システム。
【００２５】
（６）  さらに、
ユーザの通信端末は、前記擬似電子決済モードがユーザによって選択されると、そのユーザのユーザＩＤまたはそのユーザに一義的に対応する情報を取得し、それらユーザＩＤまたは情報に、前記第２のシステムの会員として前記第２のシステムの前記第２の管理サーバにアクセスするためのなりすまし会員ＩＤを割り当て、そのなりすまし会員ＩＤを用いて前記管理サーバを経由するかまたは経由せずに前記第２の管理サーバにアクセスするなりすましアクセス手段を含む（１）ないし（４）項のいずれかに記載の擬似電子決済対応型サービス提供システム。
【００２６】
（７）  （１）ないし（６）項のいずれかに記載の通信端末としてコンピュータを機能させるためのプログラム。
【００２７】
本明細書の全体を通じて、「プログラム」という用語は、例えば、それの機能を果たすためにコンピュータにより実行される指令の組合せを意味するように解釈したり、それら指令の組合せのみならず、各指令に従って処理されるファイルやデータをも含むように解釈することが可能であるが、それらに限定されない。
【００２８】
また、このプログラムは、それ単独でコンピュータにより実行されることにより、所期の目的を達するものとしたり、他のプログラムと共にコンピュータにより実行されることにより、所期の目的を達するものとすることができるが、それらに限定されない。後者の場合、本項に係るプログラムは、データを主体とするものとすることができるが、それに限定されない。
【００２９】
（８）  （１）ないし（６）項のいずれかに記載の管理サーバとしてコンピュータを機能させるためのプログラム。
【００３０】
（９）  （１）ないし（６）項のいずれかに記載の精算機としてコンピュータを機能させるためのプログラム。
【００３１】
（１０）  （７）ないし（９）項のいずれかに記載のプログラムをコンピュータ読み取り可能に記録した記録媒体。
【００３２】
本明細書の全体を通じて、「記録媒体」という用語は、種々な形式の記録媒体を意味するように解釈することが可能であり、そのような記録媒体は、例えば、フレキシブル・ディスク等の磁気記録媒体、ＣＤ、ＣＤ−ＲＯＭ等の光記録媒体、ＭＯ等の光磁気記録媒体、ＲＯＭ等のアンリムーバブル・ストレージ等を含むが、それらに限定されない。
【図面の簡単な説明】
【００３３】
【図１】図１は、本発明の例示的な一実施形態に従う駐車場管理システムであってそれ単独では電子決済に対応できないものを、第２の駐車場管理システムであってそれ単独で電子決済に対応できるものと共に概念的に表す斜視図である。
【図２】図２は、図１に示す第２の駐車場管理システムにおける発信機、ユーザの携帯端末および管理サーバのそれぞれの作動であって入庫ステージにおいて行われるものを概念的に表すフローチャートである。
【図３】図２は、図１に示す第２の駐車場管理システムにおける発信機、ユーザの携帯端末および管理サーバのそれぞれの作動であって出庫ステージにおいて行われるものを概念的に表すフローチャートである。
【図４】図４は、図１に示す駐車場管理システムを、同図に示す第２の駐車場管理システムを部分的に利用して電子決済に対応可能とするための通信手順の３つの例をそれぞれ示すブロック図である。
【図５】図５は、図１に示す駐車場管理システムにおける精算機、ユーザの携帯端末および管理サーバならびに第２の駐車場管理システムにおける管理サーバおよび決済サーバのそれぞれの作動であって出庫ステージにおいて擬似電子決済モードを実行するために行われるものを概念的に表すフローチャートである。
【発明を実施するための形態】
【００３４】
以下、本発明のさらに具体的な例示的な実施の形態のうちのいくつかを図面に基づいて詳細に説明する。
【００３５】
＜全体構成＞
【００３６】
図１には、本発明の例示的な一実施形態に従う擬似電子決済対応型の駐車場管理システム１０（以下、単に「システム１０」という。）が、電子決済対応型の第２の駐車場管理システム１１０（以下、単に「システム１１０」という。）と共に示されている。システム１０は、本発明の一実施形態に従う擬似電子決済対応型サービス提供システムの一例である。また、システム１０は、本発明の一実施形態に従う駐車場管理方法を実施し、その駐車場管理方法は、本発明の一実施形態に従う擬似電子決済対応型サービス提供方法の一例である。
【００３７】
システム１０は、当該システム単独では、電子決済に対応しない非電子決済モードを実行する。その非電子決済モードにおいては、ユーザが、システム１０における精算機３０を用いて非電子決済を行う。非電子決済の一例は、現金決済であり、別の例は、プリペイド式ＩＣカード決済（単に「カード決済」ともいう。）である。
【００３８】
さらに、システム１０は、当該システムと同種のサービスをユーザに提供する第２のシステム１１０との協働により、擬似電子決済モードを実行する。その擬似電子決済モードにおいては、ユーザが、自身の携帯端末（前記通信端末の一例）９０を用いることにより、第２のシステム１１０における管理サーバ１４０および決済サーバ１６０を利用して電子決済を行う。電子決済は、「スマートフォン決済」ともいい、例えば、クレジットカード決済が該当する。
【００３９】
このシステム１０は、ユーザが実際に駐車した時間の長さに見合う額の後払い駐車料金をユーザが支払うことを条件に、ユーザが駐車場２０から出庫することを許可する後払い式である。ただし、これに代えて、このシステム１０は、駐車場２０の利用開始に先立ち、ユーザが希望する駐車時間（例えば、予定駐車時間）の長さに見合う額の前払い駐車料金をユーザが支払うことを条件に、ユーザが駐車場２０を利用することを許可する前払い式を採用することも可能である。
【００４０】
＜システム１０の構成＞
【００４１】
図１を参照するに、システム１０は、駐車場２０を管理するためのシステムである。駐車場２０には、複数の車室２２が存在する。各車室２２に、１台の車両が駐車される。各車室２２ごとに、出庫許可装置２４が設置される。
【００４２】
なお、「車両」なる用語の定義について付言するに、「車両」なる用語は、自動車のみならず、自転車、自動二輪車等、あらゆる種類の移動体を包含する用語として解釈すべきである。
【００４３】
出庫許可装置２４の一例は、対応する車室２２における車両の存在（対応する車室２２への車両の入庫など）を検出する車両存否センサ（例えば、地中に埋設されるループコイル、駐車場２０の支持面上に露出するように設置されるフォトセンサなど）と、車室２２における車両に対し、その車両の車室２２からの退出（出庫）を阻止する出庫阻止状態と出庫を許可する出庫許可状態とに切り換わる可動部材としての邪魔板（フラップ、昇降具、車止め具、輪止め具など）を有する機構部とを有する。
【００４４】
その機構部は、前記車両存否センサによって車両の存在が検知されると、前記邪魔板を例えば上昇または傾斜させるなどして出庫阻止状態に移行させる一方、ユーザが後払い駐車料金を決済すると、前記邪魔板を例えば下降または水平化させるなどして出庫許可状態に移行させる。
【００４５】
本実施形態においては、複数の車室２２に共通に精算機３０が設置される。精算機３０は、車室２２ごとの前記車両存否センサと通信を行い、その車両存否センサからの信号に基づき、各車室２２における車両の存否を監視する。さらに、複数の出庫許可装置２４に共通に精算機３０が設置される。精算機３０は、車室２２ごとの前記機構部と通信を行い、その機構部を、適宜、出庫許可状態と出庫阻止状態とに切り換える。精算機３０は、シーケンサを主体として構成される場合もあれば、コンピュータを主体として構成される場合もある。
【００４６】
別の例においては、複数の車室２２に共通に出庫許可装置２４が設置される。その出庫許可装置２４は、例えば、駐車場２０の出入り口においてゲートを開閉させる機構部を有する。
【００４７】
なお、本発明を実施するために駐車場２０に出庫許可装置２４を設置することは不可欠ではなく、後払い式でありながら、出庫許可装置２４を有しない駐車場２０に対して本発明を適用することが可能である。
【００４８】
このシステム１０は、さらに、管理サーバ４０を有する。この管理サーバ４０は、例えば、駐車場２０を所有するオーナに代わってその駐車場２０を管理する駐車場管理業者によって運営される。
【００４９】
この管理サーバ４０は、非電子決済モードにおいては、精算機３０のみとの間で通信（例えば、無線通信）を行い、それにより、駐車場２０の稼働状況をリアルタイムで遠隔的に監視する機能を含む複数の機能を実現する。
【００５０】
これに対し、管理サーバ４０は、擬似電子決済モードにおいては、ユーザの携帯端末９０および第２のシステム１１０の管理サーバ１４０（前記第２の管理サーバの一例）のそれぞれとの間で通信（例えば、無線通信）を行い、それにより、このシステム１０単独では電子決済に対応不可能であるが、ユーザが第２のシステム１１０の会員に合法的になりすましてその第２のシステム１１０に合法的にアクセスし、それにより、電子決済を可能にするなりすましアクセス機能を含む複数の機能を実現する。
【００５１】
＜携帯端末９０の構成＞
【００５２】
ユーザの携帯端末９０は、例えば、ユーザによって携帯されるとともに無線通信機能を有するデバイス、例えば、携帯電話機、スマートフォン、ラップトップ型コンピュータ、タブレット型コンピュータ、ＰＤＡなどである。また、携帯端末９０は、ユーザの通信端末の一例であり、その通信端末は、ユーザによって携帯されないもの、例えば、車載通信端末でもよい。
【００５３】
携帯端末９０は、プロセッサおよびそのプロセッサによって実行される複数のアプリケーションを記憶するメモリを有するコンピュータを主体として構成されている。
【００５４】
この携帯端末９０は、さらに、情報を画面上に表示する表示部（例えば、液晶ディスプレイ）と、外部の通信デバイスからの信号を受信する受信部と、信号を生成してその信号を外部の通信デバイスに送信する送信部とを有する。
【００５５】
この携帯端末９０は、さらに、ユーザからデータやコマンドを入力するための入力部を有する。その入力部は、例えば、所望の情報（例えば、コマンド、データなど）を携帯端末９０に入力するためにユーザによって操作可能な操作部を有する。
【００５６】
その操作部としては、ユーザによって操作可能ないくつかのアイコン（例えば、仮想的なボタン）を表示するタッチスクリーン（データの手入力を可能にする手段）、ユーザによって操作可能な物理的な操作部（例えば、キーボード、キーパッド、ボタンなどのように、データの手入力を可能にする手段）、音声を感知するマイク（データの音声入力を可能にする手段）などがあるが、これらに限定されない。
【００５７】
前記入力部は、さらに、イメージを撮像するイメージ・センサ（デジタル・カメラを含む）を有する。
【００５８】
この携帯端末９０は、さらに、ＧＰＳ（衛星測位システム）受信機を有する。ＧＰＳ受信機は、よく知られているように、複数のＧＰＳ衛星から複数のＧＰＳ信号を受信し、それらＧＰＳ信号に基づき、ＧＰＳ受信機の地球上における位置（緯度、経度および高度）を三角測量によって測定する。
【００５９】
＜第２のシステム１１０の構成＞
【００６０】
図１に示すように、第２のシステム１１０は、システム１０と同様に、後払い式の駐車場１２０を管理するために構成されている。その駐車場１２０も、複数の車室１２２を有する。
【００６１】
駐車場１２０には、１個の発信機１３０が、複数の車室１２２に共通に設置されている。別の例においては、図示しないが、車室１２２の数より少数複数個の発信機１３０が、複数の車室群のそれぞれに関連付けて設置される。さらに別の例においては、図示しないが、車室１２２と同数の発信機１３０が、それぞれ、車室１２２ごとに設置される。
【００６２】
図１に示す例においては、１個の発信機１３０に、１つの駐車場１２０が関連付けられ、さらに、すべての車室１２２も関連付けられる。よって、その発信機１３０がユーザの携帯端末１９０によって特定されれば、それに関連付けられた駐車場１２０の場所、すなわち、ユーザによって選択された駐車場１２０の駐車場コード（または駐車場ＩＤ）および存在場所（地名、地理的位置など）は分かるが、ユーザによって選択された１個の車室１２２の場所は不明である。
【００６３】
携帯端末１９０は、前述の携帯端末９０と共通の構成を有する。よって、携帯端末１９０についての重複した説明は省略する。
【００６４】
この第２のシステム１１０においては、ユーザは、電子決済モードのみ選択可能であり、非電子決済モードは選択できない。
【００６５】
＜発信機１３０の構成＞
【００６６】
まず、概念的に説明するに、発信機１３０は、固有の発信機コード（または発信機ＩＤ）を識別し得る識別信号を発信する非接触式または接触（近接）式の通信デバイスである。
【００６７】
ユーザの携帯端末１９０は、その発信機１３０からの識別信号を一方向にかつ近距離無線通信方式で専ら受信する。携帯端末１９０が発信機１３０からの信号を受信できる距離、すなわち、受信半径（例えば、０ｍ−約５０ｍ）は、携帯端末１９０上でソフト的に可変に設定される。その受信半径を有する円で囲まれる領域は、受信可能エリアまたは受信圏と称される。
【００６８】
発信機１３０は、通常、対応する駐車場１２０に移動不能に固定的に設置されるが、随時移動可能であるように可動的に設置することも可能である。また、発信機１３０は、少なくとも送信機能を有すれば足りるが、必要に応じ、受信機能をも併有するように構成してもよい。
【００６９】
次に、作動方式を説明するに、発信機１３０は、固有の識別信号を外部からのトリガ信号を要することなく能動的に、局地的に、かつ、供給電力が不足しない限り永続的に発信する。
【００７０】
発信機１３０は、一般に、識別信号としてのビーコン信号を発信するビーコン装置、無線標識などの名称でも知られている装置である。この発信機１３０は、一例においては、原信号を変調することにより、対応する発信機コードを表す識別信号を生成し、その生成された識別信号を、ＩＲ信号、Bluetooth（登録商標）信号、ＮＦＣ（近距離無線通信）信号などとして局地的に発信する。
【００７１】
次に、図を参照することなくハードウエア構成を説明するに、この発信機１３０は、プロセッサおよびそのプロセッサによって実行される複数のアプリケーションを記憶するメモリを有するコンピュータを主体として構成されている。
【００７２】
＜管理サーバ１４０の構成＞
【００７３】
第２のシステム１１０は、さらに、管理サーバ１４０を有する。この管理サーバ１４０は、ユーザの携帯端末１９０との間で双方向にかつ遠距離無線通信方式で通信を行う。
【００７４】
図を参照することなくハードウエア構成を説明するに、管理サーバ１４０は、プロセッサおよびそのプロセッサによって実行される複数のアプリケーションを記憶するメモリを有するコンピュータを主体として構成されている。
【００７５】
具体的には、この管理サーバ１４０は、携帯端末１９０からの信号を受信する受信部と、信号を生成してその信号を携帯端末１９０に送信する送信部と、現在時刻を計測する時計とを有する。この管理サーバ１４０は、発信機１３０からの受信を直接的には行わず、事実上、携帯端末１９０を介して行うことになる。
【００７６】
＜第２のシステム１１０の作動＞
【００７７】
次に、図２および図３を参照することにより、第２のシステム１１０の作動を説明する。
【００７８】
＜入庫ステージ＞
【００７９】
まず、図２を参照することにより、車両がいずれかの車室１２２に入庫する入庫ステージにおける第２のシステム１１０の作動を説明するに、ユーザが、携帯端末１９０上においてこの駐車場利用プログラムを起動させると、まず、携帯端末１９０が、管理サーバ１４０にログインするためのログイン・リクエストを、ユーザが第２のシステム１１０を利用する資格を有する会員であることを表す会員ＩＤと共に、管理サーバ１４０に送信する。
【００８０】
これに対し、管理サーバ１４０が、ステップＳ２３１において、そのログイン・リクエストを会員ＩＤと共に受信し、次に、ステップＳ２３２において、管理サーバ１４０の前記メモリ内の会員データベースを参照することにより、今回のユーザが正規の会員であるか否かを判定する。
【００８１】
今回のユーザが正規の会員であれば、ステップＳ２３２の判定がＹＥＳとなり、ステップＳ２３３において、ログイン完了を表すログイン完了信号を今回のユーザの携帯端末１９０に返信する。これに対し、今回のユーザが正規の会員でなければ、ステップＳ２３２の判定がＮＯとなり、ステップＳ２３１に戻り、正規の会員ＩＤの入力が待たれる。
【００８２】
その後、携帯端末１９０は、ステップＳ２１１において、前記ログイン完了信号を受信し、このタイミングで、ステップＳ２１２を実行し、それにより、ユーザが現在居る駐車場１２０に設置されている発信機１３０から信号を受信する。
【００８３】
続いて、携帯端末１９０は、ステップＳ２１３において、今回の発信機１３０から受信した信号から、その発信機１３０に対応する発信機コードを抽出する。その後、携帯端末１９０は、ステップＳ２１４において、発信機コードと駐車場コードとの間に予め定められている関係であって携帯端末１９０の前記メモリに保存されているものに従い、前記抽出された発信機コードを、対応する駐車場コードに変換する。これにより、今回のユーザが入庫した駐車場１２０が特定されることになる。
【００８４】
続いて、携帯端末１９０は、ステップＳ２１５において、ユーザによる入庫の意思を確認するために、自身の画面上に入庫ボタンを表示する。その入庫ボタンをユーザがタッチすると、ユーザに入庫の意思があると判定して、ステップＳ２１６において、ユーザが入庫を要求するための入庫リクエストと前記駐車場コードと前記会員ＩＤとを互いに関連付けて管理サーバ１４０に送信する。その後、携帯端末１９０は、ステップＳ２１７において、今回の駐車場コードを、後で参照するために、入庫駐車場コードとして携帯端末１９０の前記メモリに保存する。
【００８５】
これに対し、管理サーバ１４０は、ステップＳ２３４において、それら入庫リクエストと駐車場コードと会員ＩＤとを互いに関連付けて受信し、続いて、ステップＳ２３５において、前記時計を用いることにより、現在時刻を計測する。その後、管理サーバ１４０は、ステップＳ２３６において、その計測された現在時刻を入庫時刻として取り扱い、続いて、ステップＳ２３７において、その入庫時刻を会員ＩＤに関連付けて管理サーバ１４０の前記メモリに保存する。その結果、会員ＩＤと駐車場２０のＩＤと入庫時刻とが互いに関連付けて管理サーバ１４０の前記メモリに保存されることになる。
【００８６】
＜出庫ステージ＞
【００８７】
次に、図３を参照することにより、車両がいずれかの車室１２２から出庫する出庫ステージにおける第２のシステム１１０の作動を説明するに、ユーザの携帯端末１９０が、まず、ステップＳ３１１において、ユーザが現在居る駐車場１２０に設置されている発信機１３０から信号を受信する。次に、携帯端末１９０は、ステップＳ３１２において、発信機１３０から受信した信号から、その発信機１３０に対応する発信機コードを抽出する。
【００８８】
その後、携帯端末１９０は、ステップＳ３１３において、発信機コードと駐車場コードとの間に予め定められている関係であって携帯端末１９０の前記メモリに保存されているものに従い、前記抽出された発信機コードを、対応する駐車場コードに変換する。これにより、今回のユーザが現在居る駐車場１２０、すなわち、ユーザがこれから出庫したい出庫駐車場１２０が特定されることになる。
【００８９】
続いて、携帯端末１９０は、ステップＳ３１４において、携帯端末１９０の前記メモリから、既に保存されている入庫駐車場コードを読み出し、それと、前記変換された駐車場コードすなわち出庫駐車場コードとが互いに一致するか否かを判定する。一致する場合には、ステップＳ３１４の判定がＹＥＳとなり、ステップＳ３１５に進むが、一致しない場合には、その判定がＮＯとなり、ステップＳ３１１に戻り、正しい出庫駐車場コードの取得が待たれる。
【００９０】
続いて、携帯端末１９０は、ステップＳ３１５において、ユーザによる出庫の意思を確認するために、自身の画面上に出庫ボタンを表示する。その出庫ボタンをユーザがタッチすると、ユーザに出庫の意思があると判定して、ステップＳ３１６において、出庫リクエストと前記出庫駐車場コードと前記会員ＩＤとを互いに関連付けて管理サーバ１４０に送信する。
【００９１】
これに対し、管理サーバ１４０は、ステップＳ３３１において、それら出庫リクエストと出庫駐車場コードと会員ＩＤとを互いに関連付けて受信し、続いて、ステップＳ３３２において、前記受信した出庫駐車場コードと会員ＩＤとの組合せと同じものが管理サーバ１４０の前記メモリに存在するか否かを判定することにより、今回のユーザおよび今回の駐車場１２０をそれぞれ正規のものとして認証するか否かを判定する。
【００９２】
その後、その認証に成功すると、管理サーバ１４０は、ステップＳ３３３において、前記時計を用いることにより、現在時刻を計測する。その後、管理サーバ１４０は、ステップＳ３３４を、その計測された現在時刻を出庫時刻として取り扱い、続いて、ステップＳ３３５において、今回の会員ＩＤに関連付けて管理サーバ１４０の前記メモリに保存されている入庫時刻をそのメモリから読み出し、前記出庫時刻から前記入庫時刻を引き算することにより、駐車時間を計算する。
【００９３】
その後、管理サーバ１４０は、ステップＳ３３６において、駐車時間の長さと駐車料金の額との間に予め定められている関係であって管理サーバ１４０の前記メモリに保存されているものに従い、前記計算された駐車時間の長さに見合う額の駐車料金を計算する。続いて、管理サーバ１４０は、その計算された駐車料金の額をユーザの携帯端末１９０に送信する。
【００９４】
これに対し、携帯端末１９０は、ステップＳ３１７において、その駐車料金の額を受信し、続いて、ステップＳ３１８において、その駐車料金の額を前記画面上に表示する。
【００９５】
一方、管理サーバ１４０は、ステップＳ３３６の実行後、ステップＳ３３７において、前記駐車料金について電子決済を行うための決済リクエストを、電子決済に必要な情報と共に、決済サーバ１６０に送信する。
【００９６】
これに対し、決済サーバ１６０は、ステップＳ３５１において、その決済リクエストを受信し、続いて、ステップＳ３５２において、指定された内容で電子決済を行う。続いて、決済サーバ１６０は、ステップＳ３５３において、電子決済が完了したことを表す決済完了信号を管理サーバ１４０に送信する。
【００９７】
これに対し、管理サーバ１４０は、ステップＳ３３８において、その決済完了信号を受信し、続いて、ステップＳ３３９において、出庫許可信号を携帯端末１９０に送信する。
【００９８】
これに対し、携帯端末１９０は、ステップＳ３１９において、その出庫許可信号を受信し、それにより、今回の駐車料金が電子決済によって支払われたために自分が今回の駐車場１２０から正当に出庫できる権限を得たことをユーザが知ることになる。
【００９９】
＜システム１０の作動＞
【０１００】
＜入庫ステージ＞
【０１０１】
このシステム１０の作動を説明するに、車両がいずれかの車室２２に入庫する入庫ステージにおいては、対応する車両存否センサが車両を検知すると、そのことを表す信号が精算機３０に送信される。その精算機３０は、そのときの時刻を入庫時刻として計測し、その入庫時刻にいずれの車室２２に入庫したこと（車室番号に関連付けて）を記録する。これにより、入庫時刻と車室２２の番号（または車室ＩＤ）との間の紐付けが行われる。
【０１０２】
精算機３０は、さらに、入庫時刻と車室２２の番号（または車室ＩＤ）とを互いに関連付けて管理サーバ４０に送信し、その管理サーバ４０は、それらデータを互いに関連付けて保存する。これにより、管理サーバ４０は、駐車場２０の稼働状況をリアルタイムで監視できることになる。この管理サーバ４０は、他の駐車場２０の稼働状況をも監視するように、複数の駐車場２０を集中的に管理するように構成される。
【０１０３】
＜出庫ステージ＞
【０１０４】
＜非電子決済モード＞
【０１０５】
これに対し、車両がいずれかの車室２２から出庫する出庫ステージにおいては、まず、ユーザが、非電子決済モードと擬似電子決済モード（このモードは、ユーザには、みかけ上、このシステム１０によって実現される電子決済モードとして認識される）とのうちのいずれかを選択する。
【０１０６】
非電子決済モードを選択した場合には、ユーザは、精算機３０に自分の車室２２の番号を入力し、それを受けて、精算機３０は、その時刻を出庫時刻として計測し、前記記録された入庫時刻からその出庫時刻までの経過時間を駐車時間として計算し、その長さに見合う額の後払い駐車料金を計算する。
【０１０７】
その駐車料金をユーザが精算機３０に対して現金またはプリペードカードを用いて支払うと、その精算機３０は、今回の車室２２に対応する出庫許可装置２４を出庫阻止状態から出庫許可状態に切り換える。これにより、ユーザが車両を今回の車室２２から出庫させることが可能となる。このように、出庫ステージにおいては、ユーザによって精算機３０に入力された車室２２の番号をキーとして、駐車料金の額を特定する。
【０１０８】
＜擬似電子決済モード＞
【０１０９】
これに対し、擬似電子決済モードを選択した場合には、ユーザは、携帯端末９０に予めインストールされている擬似電子決済用プログラムを起動させる。
【０１１０】
その擬似電子決済用プログラムは後に図５を参照して詳述するが、概略的には、擬似電子決済モードにおいて、図４のうちの最上欄に示すように、後払い駐車料金の計算を、精算機３０に代わって管理サーバ４０が行う（第１の通信手順）が、これに代えて、その料金計算を、図４のうちの中央欄に示すように、精算機３０に代わって第２のシステム１１０の管理サーバ１４０が行う可能性（第２の通信手順）と、図４のうちの最下欄に示すように、精算機３０が依然として行う可能性（第３の通信手順）とが存在する。
【０１１１】
ここで、図４に示す３つの通信手順について説明するに、いずれの通信手順においても、携帯端末９０と精算機３０との間に、管理サーバ４０と管理サーバ１４０と決済サーバ１６０との組合せ（同図において、破線で包囲された領域内に存在する３つの要素またはサーバ）が、システム１０単独では電子決済に対応できないシステム１０を、第２のシステム１１０を部分的に利用して、電子決済に対応可能とするように機能するために存在し、その意味において、その組合せは、電子決済実現化手段とも称される。
【０１１２】
この電子決済実現化手段において、管理サーバ４０は、システム１０に実在する管理サーバという意味において、「実管理サーバ」ともいう。これに対し、管理サーバ１４０は、システム１０にではなく第２のシステム１１０に実在し、かつ、ユーザから見ると、あたかも、システム１０に実在する管理サーバとみなされるという意味において、「なりすまし管理サーバ」ともいう。
【０１１３】
次に、それら通信手順を個々に説明するに、第１の通信手順においては、携帯端末９０が実管理サーバ４０と無線通信（例えば、電話回線網を介して）を行い、それにより、実管理サーバ４０に、駐車料金の計算（「料金計算」ともいう。）を行わせる。
【０１１４】
料金計算が終了すると、この実管理サーバ４０は、なりすまし管理サーバ１４０を経由して決済サーバ１６０に接続し、それにより、決済サーバ１６０に電子決済を行わせる。電子決済が完了すると、実管理サーバ４０は、出庫許可信号を精算機３０を経由して出庫許可装置２４に送信し、それにより、ユーザによる出庫が許可される。
【０１１５】
第２の通信手順においては、携帯端末９０がなりすまし管理サーバ１４０と無線通信（例えば、電話回線網を介して）を行い、それにより、なりすまし管理サーバ１４０に、駐車料金の計算（「料金計算」ともいう。）を行わせる。
【０１１６】
料金計算が終了すると、このなりすまし管理サーバ１４０は、決済サーバ１６０に接続し、それにより、ユーザによる電子決済を可能とする。電子決済が完了すると、なりすまし管理サーバ１４０は、実管理サーバ４０に電子決済完了を通知し、それに応答し、実管理サーバ４０は、出庫許可信号を精算機３０を経由して出庫許可装置２４に送信し、それにより、ユーザによる出庫が許可される。
【０１１７】
第３の通信手順においては、携帯端末９０が精算機３０と無線通信（例えば、Bluetooth（登録商標）通信方式で）を行い、それにより、携帯端末９０は、精算機３０に駐車時間の計算と駐車料金の計算とを行わせ、さらに、その計算された駐車料金を携帯端末９０に返信させる。
【０１１８】
その後、携帯端末９０は、なりすまし管理サーバ１４０と無線通信（例えば、電話回線網を介して）を行い、それを受けて、このなりすまし管理サーバ１４０は、決済サーバ１６０に接続し、それにより、ユーザによる電子決済を可能とする。電子決済が完了すると、なりすまし管理サーバ１４０は、実管理サーバ４０に電子決済完了を通知し、それに応答し、実管理サーバ４０は、出庫許可信号を精算機３０を経由して出庫許可装置２４に送信し、それにより、ユーザによる出庫が許可される。
【０１１９】
次に、図５を参照することにより、出庫ステージにおいて擬似電子決済モードが実行される際のシステム１０の精算機３０、携帯端末９０および管理サーバ４０と第２のシステム１１０の管理サーバ１４０および決済サーバ１６０とのそれぞれの作動を説明する。
【０１２０】
この図５に示す複数のステップのうち、携帯端末９０において実行されるものの時系列が、前述の擬似電子決済用プログラムに相当し、また、管理サーバ４０において実行されるものの時系列が、実管理サーバ用の擬似電子決済用プログラムに相当し、また、管理サーバ１４０において実行されるものの時系列が、なりすまし管理サーバ用の擬似電子決済用管理プログラムに相当し、また、決済サーバ１６０において実行されるものの時系列が、電子決済プログラムに相当する。
【０１２１】
ユーザが、携帯端末９０上において、前記擬似電子決済用プログラムを起動させると、まず、ステップＳ５１１において、ユーザによる出庫（非電子決済モードではなく擬似電子決済モードでの出庫）の意思を確認するために、自身の画面上に出庫ボタンを表示する。次に、ステップＳ５１２において、その出庫ボタンをユーザが操作した（例えば、タッチした）か否かを判定する。出庫ボタンが操作されると、その判定がＹＥＳとなり、ユーザに出庫の意思があると判定する。
【０１２２】
続いて、携帯端末９０は、ステップＳ５１３において、ユーザが現在居る駐車場２０を特定するために、ユーザに対し、その駐車場２０を識別するための駐車場識別情報、例えば、駐車場コードの入力を催促する。それに対し、ユーザは、該当する駐車場コードを手動で（例えば、前記手入力または前記音声入力により）または半自動もしくは完全自動で（携帯端末９０によって入力が支援される方法で）携帯端末９０に入力する。
【０１２３】
駐車場コードの入力支援方法の第１の例においては、携帯端末９０が、今回の駐車場２０の位置において、前記ＧＰＳ機能を用いて現在位置を測定するとともに、複数の駐車場２０と複数の地図上位置との間に予め定められている関係であって携帯端末９０の前記メモリに保存されているものに従い、前記複数の地図上位置のうち前記測定された現在位置の近傍に位置するものに対応する少なくとも一つの駐車場２０を、今回の駐車場２０の候補として、ユーザに提示する。
【０１２４】
この第１の例においては、ユーザがいずれかの駐車場２０を携帯端末９０上で選択すると、その駐車場２０に対応する駐車場コードが携帯端末９０に入力される。
【０１２５】
駐車場コードの入力支援方法の第２の例においては、携帯端末９０が、精算機３０と無線通信（例えば、Bluetooth（登録商標）通信方式で）を行い、このとき、精算機３０は、その精算機３０が設置されている駐車場２０に対応する駐車場コードを表す信号を携帯端末９０に返信する。これにより、ユーザは、現在居る駐車場２０の駐車場コードを携帯端末９０に入力できる。
【０１２６】
駐車場コードの入力支援方法の第３の例においては、携帯端末９０のイメージ・センサが、精算機３０または車室２２ごとに装着されている識別マーク、例えば、コンピュータ読み取り可能な模様（例えば、バーコード、ＱＲコード（登録商標）などの２次元コードなど）を読み取り、その読み取り結果を、今回の駐車場２０に対応する駐車場コードに変換する。これにより、ユーザは、現在居る駐車場２０の駐車場コードを携帯端末９０に入力できる。
【０１２７】
続いて、携帯端末９０は、ステップＳ５１４において、ユーザが現在居る駐車場２０のうち、ユーザの車両が現在駐車している車室２２を特定するために、ユーザに対し、その車室２２を識別する車室識別情報、例えば、車室番号の入力を催促する。それに対し、ユーザは、該当する車室番号を手動で（例えば、前記手入力または前記音声入力により）または半自動もしくは完全自動で（携帯端末９０によって入力が支援される方法で）携帯端末９０に入力する。
【０１２８】
車室番号の入力支援方法の一例においては、携帯端末９０のイメージ・センサが、車室２２ごとに装着されている識別マーク、例えば、コンピュータ読み取り可能な模様（例えば、バーコード、ＱＲコード（登録商標）などの２次元コードなど）を読み取り、その読み取り結果を、今回の車室２２に対応する車室番号に変換する。これにより、ユーザは、自身の車両が現在駐車している車室２２の車室番号を携帯端末９０に入力できる。
【０１２９】
なお、ここに、「識別マーク」は、車室２２の識別マークと、駐車場２０の識別マークとの双方を含む多目的識別マークとして構成してもよい。この場合には、携帯端末９０のイメージ・センサが、車室２２ごとに装着されている多目的識別マークを読み取り、その読み取り結果を、今回の駐車場２０に対応する駐車場コードと今回の車室２２に対応する車室番号との組合せに変換する。
【０１３０】
この例示的な入力支援方法によれば、ユーザは、ユーザが現在居る駐車場２０の駐車場コードと、自身の車両が現在駐車している車室２２の車室番号とを一挙に携帯端末９０に入力できる。
【０１３１】
その後、携帯端末９０は、ステップＳ５１５において、今回のユーザが、第２のシステム１１０の電子決済手段を利用するために第２のシステム１１０に合法的にアクセスするために、今回のユーザ（正確には、今回の駐車場コードと今回の車室番号との組合せ）に対し、１個のなりすまし会員ＩＤを割り当てる。なりすまし会員ＩＤは、ユーザごとに異なるように設定される。
【０１３２】
ところで、車両を駐車するという本来の目的のために第２のシステム１１０を利用することを希望するユーザは、その第２のシステム１１０の会員として事前に登録されることを要求される。しかし、システム１０のユーザは、そのシステム１０を利用するために、第２のシステム１１０の会員であることを要求されない。
【０１３３】
そこで、本実施形態においては、携帯端末９０のデータ処理により、ユーザが、システム１０のユーザの意思とは無関係に、かつ、ユーザに気付かれることなく、一時的に第２のシステム１１０の会員になりすます。このなりすまし会員という資格は、ユーザが今回のシステム１０の使用を終了すると（駐車料金を擬似電子決済によって支払うと）、自動的に消滅する。
【０１３４】
そのなりすまし処理を行うために、携帯端末９０の前記メモリには、複数の仮想会員ＩＤ、すなわち、第２のシステム１１０のいずれのユーザにも割り当てられることはないが、電子決済のみを目的として携帯端末９０が第２のシステム１１０にアクセスすることを許可するものが保存されている。それら仮想会員ＩＤと同じものは、第２のシステム１１０の前記メモリにも保存されており、それにより、第２のシステム１１０において、システム１０のユーザについて会員認証を行うことが可能となる。
【０１３５】
携帯端末９０は、ユーザから擬似電子決済モードでの出庫リクエストを受け付けるごとに、それら仮想会員ＩＤのうちのいずれかを、同じ携帯端末９０において使用済のものとも、他の携帯端末９０において使用済のものとも重複しないように選択して、今回のユーザに割り当てる。これにより、今回の駐車場コードと今回の車室番号と今回のなりすまし会員ＩＤとが互いに紐付けられる。各携帯端末９０は、あるなりすまし会員ＩＤを選択すると、その結果を管理サーバ４０に送信し、その管理サーバ４０は、他の携帯端末９０に対し、同じなりすまし会員ＩＤを選択しないように情報を提供する。
【０１３６】
その後、携帯端末９０は、ステップＳ５１６において、ユーザが出庫（非電子決済モードではなく擬似電子決済モードでの出庫）を要求するための出庫リクエストと駐車場コードと車室番号とを互いに関連付けて管理サーバ４０に送信する。
【０１３７】
これに対し、管理サーバ４０は、ステップＳ５３１において、それら出庫リクエストと駐車場コードと車室番号とを互いに関連付けて受信する。
【０１３８】
続いて、管理サーバ４０は、ステップＳ５３２において、前記時計を用いることにより、現在時刻を計測する。その後、管理サーバ４０は、その計測された現在時刻を出庫時刻として取り扱い、続いて、今回の車室番号に関連付けて管理サーバ４０の前記メモリに保存されている入庫時刻をそのメモリから読み出し、前記出庫時刻から前記入庫時刻を引き算することにより、駐車時間を計算する。
【０１３９】
その後、管理サーバ４０は、ステップＳ５３３において、駐車時間の長さと駐車料金の額との間に予め定められている関係であって管理サーバ４０の前記メモリに保存されているものに従い、前記計算された駐車時間の長さに見合う額の駐車料金を計算する。続いて、管理サーバ４０は、ステップＳ５３４において、その計算された駐車料金の額をユーザの携帯端末９０に送信する。
【０１４０】
これに対し、携帯端末９０は、ステップＳ５１７において、その駐車料金の額を受信し、続いて、その駐車料金の額を前記画面上に表示する。
【０１４１】
その後、携帯端末９０は、ステップＳ５１８において、前記駐車料金の額とその駐車料金について電子決済を行うための決済リクエストと今回のなりすまし会員ＩＤとを、電子決済に必要な情報と共に、第２のシステム１１０の管理サーバ１４０に送信する。これに代えて、その決済リクエストを、携帯端末９０ではなく管理サーバ４０が管理サーバ１４０に送信してもよい。
【０１４２】
これに対し、管理サーバ１４０は、ステップＳ５５１において、それら駐車料金の額と決済リクエストと今回のなりすまし会員ＩＤと電子決済に必要な情報とを受信する。
【０１４３】
続いて、管理サーバ１４０は、ステップＳ５５２において、自身のメモリを参照することにより、前記受信したなりすまり会員ＩＤと一致する仮想会員ＩＤが存在するか否かを判定し、存在する場合に、今回のユーザが、電子決済のみを目的として、第２のシステム１１０にアクセスすることを許可する。会員認証が行われるのである。
【０１４４】
その後、管理サーバ１４０は、ステップＳ５５３において、前記駐車料金について電子決済を行うための決済リクエストを、電子決済に必要な情報と共に、決済サーバ１６０に送信する。
【０１４５】
これに対し、決済サーバ１６０は、ステップＳ５７１において、その決済リクエストを受信し、続いて、ステップＳ５７２において、指定された内容で電子決済を行う。続いて、決済サーバ１６０は、ステップＳ５７３において、電子決済が完了したことを表す決済完了信号を管理サーバ４０に送信する。
【０１４６】
これに対し、管理サーバ４０は、ステップＳ５３５において、その決済完了信号を受信し、続いて、ステップＳ５３６において、駐車料金の精算が電子決済により完了したと判定する。その後、管理サーバ４０は、ステップＳ５３７において、出庫許可信号を精算機３０に送信する。
【０１４７】
これに対し、精算機３０は、ステップＳ５０１において、その出庫許可信号を受信し、続いて、ステップＳ５０２において、ユーザの車両が今回の車室２２から出庫することを可能にするために、出庫許可装置２４に対し、出庫許可信号を送信する。その出庫許可信号に応答し、出庫許可装置２４は、前記邪魔板を作用位置から非作用位置に退避させ（格納し）、それにより、車両が出庫許可装置２４から退出することを可能にする。
【０１４８】
以上説明したいくつかの実施態様においては、携帯端末９０が、前記擬似電子決済モードがユーザによって選択されると、今回の駐車場２０を特定するための情報（例えば、駐車場コード）と今回選択された車室２２を特定するための情報（例えば、車室番号）との組合せを取得し、その組合せに、第２のシステム１１０の会員としてその第２のシステム１１０の第２の管理サーバ１４０にアクセスするためのなりすまし会員ＩＤを割り当て、そのなりすまし会員ＩＤを用いて第２の管理サーバ１４０にアクセスするなりすましアクセス手段を含むように設計される。
【０１４９】
これに代えて、携帯端末９０は、擬似電子決済モードがユーザによって選択されると、そのユーザのユーザＩＤまたはそのユーザに一義的に対応する情報（後述する）を取得し、それらユーザＩＤまたは一義的対応情報に、第２のシステム１１０の会員としてその第２のシステム１１０の第２の管理サーバ１４０にアクセスするためのなりすまし会員ＩＤを割り当て、そのなりすまし会員ＩＤを用いて管理サーバ４０を経由するかまたは経由せずに第２の管理サーバ１４０にアクセスするなりすましアクセス手段を含むように設計してもよい。
【０１５０】
ここに、「ユーザに一義的に対応する情報（一義的対応情報）」としては、例えば、携帯端末９０の電話番号、メールアドレス、ＩＰアドレス、ユーザの車両の登録番号（ナンバープレート上の番号など）などのテキスト（文字・数字列）情報や、ユーザ本人または本人の車両を撮影した画像などのイメージ情報などがある。「車両の登録番号」は、ユーザが文字・数字列を携帯端末９０に手入力することによって取得したり、ユーザが携帯端末９０のカメラで車両のナンバープレートを含む画像を撮像してその撮像結果から携帯端末９０または他のデバイスによる画像認識処理によって番号を抽出することによって取得してもよい。
【０１５１】
以上説明したいくつかの実施形態は、本発明を、後払い式の駐車場２０を用いたサービスに適用した場合のいくつかの例であったが、本発明は、前払い式の駐車場を用いたサービスに適用してもよい。
【０１５２】
以上説明したいくつかの実施形態は、本発明を、事業者（駐車場管理業者）が管理する駐車場２０においてユーザが車両を駐車するためのスペースをそのユーザに貸与する駐車場サービスに適用した場合のいくつかの例であるが、他の種のサービスに本発明を適用することが可能である。
【０１５３】
具体的には、本発明は、例えば、個人が所有する駐車場を他人の車両を駐車するためにその他人に貸与するサービス（いわゆる駐車場シェアリング・サービス）に適用したり、事業者が事業所において車両をユーザに貸与するサービス（いわゆる車両レンタル・サービス）に適用したり、事業者が無人駐車場において車両をユーザに貸与するサービス（いわゆる車両シェアリング・サービス）に適用したり、個人が自身の車両を他人に貸与するサービス（いわゆる車両シェアリング・サービス）に適用してもよい。
【０１５４】
さらに、本発明は、不動産または動産であるレンタル対象をユーザにレンタルするというサービスに適用してもよい。
【０１５５】
以上説明したいくつかの実施形態においては、システム１０のユーザが、本人が知らなう状態で、第２のシステム１１０の会員としての資格を与えられるようになっているが、本人に了解をもらうかまたは本人からの指示を待って、第２のシステム１１０の会員としての資格を得る態様で本発明を実施してもよい。
【０１５６】
以上、本発明の例示的な実施の形態のいくつかを図面に基づいて詳細に説明したが、これらは例示であり、前記［発明の概要］の欄に記載の態様を始めとして、当業者の知識に基づいて種々の変形、改良を施した他の形態で本発明を実施することが可能である。
【図１】
2020087425.tif 000003
【図２】
2020087425.tif 000004
【図３】
2020087425.tif 000005
【図４】
2020087425.tif 000006
【図５】
2020087425.tif 000007